(57)【要約】      （修正有）【課題】木製足場板や鋼製板などを、幅木として布板の側端部位置に簡単に固定することができる幅木用クランプを提供する。【解決手段】仮設足場上の布板に沿って取り付けられる幅木を固定保持するために、仮設足場の鋼管をクランプする鋼管クランプ１を用いて構成した幅木用クランプである。鋼管クランプ１のクランプ本体２の外側に、幅木挟持部材１０が取付ボルト８と締付ナット９により締付固定される。幅木挟持部材１０には幅木を挟持する二股状の二股挟持部１１が設けられる。ランプ本体２と幅木挟持部材１０間に円弧孔１３と係合ピン１４が係合して設けられる。取付ボルト８の締付ナット９を緩めた状態で、幅木挟持部材１０の取付ボルト８を中心としたクランプ本体２に対する角度を、所定の角度範囲内で調整可能とする。【選択図】図２
0003154680.tif 000002
【実用新案登録請求の範囲】
【請求項１】
鋼管クランプと幅木挟持部材を有し、仮設足場の鋼管に該鋼管クランプをクランプさせ、該幅木挟持部材に幅木を取り付け、仮設足場上の布板に沿って該幅木を保持する幅木用クランプであって、
該鋼管クランプのクランプ本体の外側に、該幅木挟持部材が取付ボルトと締付ナットにより締付固定され、該幅木挟持部材には幅木を挟持する二股状の二股挟持部が設けられ、該クランプ本体と該幅木挟持部材間に円弧孔と係合ピンが係合して設けられ、該取付ボルトの締付ナットを緩めた状態で、該幅木挟持部材の該取付ボルトを中心とした該クランプ本体に対する角度を、所定の角度範囲内で調整可能としたことを特徴とする幅木用クランプ。
【請求項２】
前記幅木挟持部材の二股挟持部に、釘や針金を通すための貫通孔が設けられたことを特徴とする請求項１記載の幅木用クランプ。
【請求項３】
前記鋼管クランプのクランプ本体の孔に、その内側から取付ボルトを挿通し、前記幅木挟持部材の固定板部の外側から該取付ボルトに締付ナットを螺合させて該幅木挟持部材の固定板部が締付固定され、該締付ナットは鋼管クランプの締付ボルト用の締付ナットと同一規格サイズに形成されていることを特徴とする上記請求項１の幅木用クランプ。
【考案の詳細な説明】
【技術分野】
【０００１】
本考案は、建築工事現場、土木工事現場などで使用される仮設足場において、その仮設足場上の布板に沿って取り付けられる幅木用の幅木用クランプに関する。
【背景技術】
【０００２】
鋼管を用いて建築工事現場などに組み立てられる仮設足場には、周知のように、作業者の足場として、通常、布板が水平に組み付けられ、作業者がその上を歩き、或いは工具類を載せることができるようになっている。
【０００３】
また、このような布板から作業者の落下や工具類の落下を防止するために、布板の側端部に、その長手方向に沿って幅木を取り付けることが要請されている。
【０００４】
そこで、従来、布板の側端部に長手方向に沿って取り付けられる仮設足場用幅木が下記特許文献１などにより提案されている。
【先行技術文献】
【特許文献】
【０００５】
【特許文献１】特開２００７−１２００６５号公報
【考案の概要】
【考案が解決しようとする課題】
【０００６】
従来のこの種の仮設足場用幅木は、布板の側端部に長手方向に沿って固定されるように構成され、その位置で布板に対し垂直に固定できるものの、幅木の取付位置には、２個のフック部材が固定ボルトにより固定可能に設けられている。
【０００７】
そして、幅木を布板の側端部に固定する場合、２個のフック部材の固定ボルトを緩めた状態で、フック部材の下部に突出したフックを布板の側端部に係止させ、その状態でフック部材の上部から下部のフックに向けて捻じ込まれた固定ボルトを締め付けることにより、フックを上昇させ、フックと幅板の下縁部間で布板の縁部を挟持するように固定していた。
【０００８】
しかし、このような幅木には予めフック部材が取り付けられるため、使用者は専用の幅木を必要とし、既存の木製足場板や鋼製板などを幅木として取り付けることができず、施工費用が嵩むため、既存の木製足場板や鋼製板などを幅木として取り付けることが可能な、仮設足場用幅木のための幅木用クランプが要望されていた。
【０００９】
本考案は、上述の課題を解決するものであり、既存の木製足場板や鋼製板などを、幅木として布板の側端部位置に簡単に固定することができる幅木用クランプを提供することを目的とする。
【課題を解決するための手段】
【００１０】
本考案の請求項１の幅木用クランプは、  鋼管クランプと幅木挟持部材を有し、仮設足場の鋼管に該鋼管クランプをクランプさせ、該幅木挟持部材に幅木を取り付け、仮設足場上の布板に沿って該幅木を保持する幅木用クランプであって、
該鋼管クランプのクランプ本体の外側に、該幅木挟持部材が取付ボルトと締付ナットにより締付固定され、該幅木挟持部材には幅木を挟持する二股状の二股挟持部が設けられ、該クランプ本体と該幅木挟持部材間に円弧孔と係合ピンが係合して設けられ、該取付ボルトの締付ナットを緩めた状態で、該幅木挟持部材の該取付ボルトを中心とした該クランプ本体に対する角度を、所定の角度範囲内で調整可能としたことを特徴とする。
【００１１】
この考案によれば、幅木挟持部材の二股挟持部に挟持可能な木製足場板、鋼製板などであれば、幅木挟持部材に木製足場板、鋼製板などを幅木として挟持させ、仮設足場上の布板に沿って布板の側端部に幅木を配置するように、仮設足場の鋼管に対し鋼管クランプを用いて、簡単に固定することができる。また、クランプ本体に対する幅木挟持部材の角度を調整することにより、仮設足場上の布板に対する幅木の角度を、幅木の幅などに応じて任意の角度に変えて取り付けることができる。
【００１２】
請求項２の考案は、上記請求項１の幅木用クランプにおいて、上記幅木挟持部材の二股挟持部に釘や針金を通すための貫通孔が設けられたことを特徴とする。
【００１３】
この考案によれば、木製足場板、鋼製板などを、釘や針金を用いてさらに確実に幅木挟持部材に固定挟持させることができる。
【００１４】
請求項３の考案は、上記請求項１の幅木用クランプにおいて、上記幅木挟持部材は、上記鋼管クランプのクランプ本体の孔に、その内側から取付ボルトを挿通し、幅木挟持部材の固定板部の外側から締付ナットを取付ボルトに螺合させて、締付固定され、該締付ナットは鋼管クランプの締付ボルト用の締付ナットと同一規格サイズに形成されていることを特徴とする。
【００１５】
この考案によれば、作業者は、鋼管クランプの締付ボルト用の締付ナットと幅木挟持部材の締付ナットを、同一規格サイズのレンチを用いて、簡便に組付作業や分解作業を行うことができる。
【考案の効果】
【００１６】
本考案の幅木用クランプによれば、既存の木製足場板や鋼製板などを、幅木として布板の側端部位置に簡単に固定することができる。
【図面の簡単な説明】
【００１７】
【図１】本考案の一実施形態を示す幅木用クランプの正面図である。
【図２】同幅木用クランプの底面図である。
【図３】同幅木用クランプの背面図である。
【図４】同幅木用クランプの左側面図である。
【図５】同幅木用クランプの分解図である。
【図６】使用形態を示す幅木用クランプの左側面図である。
【図７】使用形態を示す幅木用クランプの角度を変えた左側面図である。
【考案を実施するための形態】
【００１８】
以下、本考案の一実施形態を図面に基づいて説明する。この幅木用クランプは、仮設足場上の布板に沿って取り付けられる幅木を固定保持するために、仮設足場の鋼管をクランプする鋼管クランプを用いて構成した幅木用クランプである。
【００１９】
この幅木用クランプは、基本的には、図１〜図５に示すように、鋼管クランプ１のクランプ本体２の外側に、幅木挟持部材１０が取付ボルト８と締付ナット９により締付固定され、幅木挟持部材１０には幅木を挟持する二股状の二股挟持部１１が設けられる。クランプ本体２と幅木挟持部材１０間に円弧孔１３と係合ピン１４が係合して設けられ、取付ボルト８の締付ナット９を緩めた状態で、取付ボルト８を中心としたクランプ本体２に対する幅木挟持部材１０の角度を、所定の角度範囲内で調整可能としている。
【００２０】
鋼管クランプ１のクランプ本体２は、鋼板をプレスにより曲げ加工して形成され、その両側には、鋼管の外周面の曲率に一致した曲率の円弧状側壁が設けられ、さらにその側壁の一端にはクランプ蓋３を開閉可能に支持する枢支ピン６が軸支される。一方、クランプ本体２の側壁の他端には、締付ボルト４の基部を枢支する枢支ピン７が軸支されている。また、クランプ本体２の一方の平坦部には、図５のように、ボルト用の貫通孔２ａが穿設される。この貫通孔２ａには、幅木挟持部材１０を取り付けるために、取付ボルト８がその頭部を内側にして外側に先端を突き出すように挿入固定される。
【００２１】
さらに、図５に示す如く、クランプ本体２の平坦部には、係合ピン１４が外側に向けて突設され、この係合ピン１４を幅木挟持部材１０の固定板部１２の円弧孔１３に係合させるようになっている。係合ピン１４は、例えば、クランプ本体２の平坦部に設けた孔に、頭部付ピンを平坦部内側から挿入し、クランプ本体２の平坦部内側で頭部付ピンを溶接して取り付けることができる。
【００２２】
鋼管クランプ１のクランプ蓋３は、鋼板をプレスにより曲げ加工して形成され、その両側には、鋼管の外周面の曲率に一致する曲率の円弧状側壁が設けられる。さらに、クランプ蓋３の側壁の一端には枢支部が設けられ、この枢支部には上記枢支ピン６が貫通し、クランプ蓋３はクランプ本体２に対し枢支ピン６を軸に開閉可能に支持される。
【００２３】
クランプ蓋３の先端部には、図１に示すように、二股状に開口する二股開口部３ａが形成され、その二股開口部３ａに、上記クランプ本体２の一端に揺動自在に枢支された締付ボルト４が、進入可能となっている。また、二股開口部３ａに締付ボルト４を進入させた状態で、締付ボルト４に螺合する締付ナット５により、クランプ蓋３はクランプ本体２に対し、締め付けることができる構造である。なお、取付ボルト８の締付ナット９と締付ボルト４の締付ナット５には、同一規格サイズのナットが使用され、１つのレンチで両締付ナットの締め付けができるようにしている。
【００２４】
このような構造の鋼管クランプ１は、図６に示すように、鋼管Ｋをクランプ本体２とクランプ蓋３との間に挟持するように挿入し、その状態で締付ボルト４の先端部付近をクランプ蓋３の二股開口部３ａに入れて、締付ナット５を締め付けることにより、鋼管Ｋはクランプ本体２とクランプ蓋３間で締め付けられ、鋼管クランプ１は鋼管Ｋに対し固定される。
【００２５】
鋼管クランプ１のクランプ本体２に取り付けられる幅木挟持部材１０は、図２，５などに示すように、板状の固定板部１２における一方の端部の両側に、二股挟持部１１を突設して構成される。
【００２６】
二股挟持部１１は、その間に幅木Ｈを挿入可能に、且つ挟持可能な空間を間にあけて形成され、図２に示すように、二股挟持部１１には固定用の釘や針金を通すための固定孔１１ａが複数個形成されている。固定板部１２は鋼板により長方形の板状に形成され、そこには図５に示すように、取付ボルト８を挿入するための孔１２ａと円弧孔１３が形成される。
【００２７】
円弧孔１３は上記鋼管クランプ１のクランプ本体２に突設した係合ピン１４が係合可能な大きさに形成され、また、円弧孔１３の円弧は、取付ボルト８を軸とする円の一部を構成するように形成される。これにより、幅木挟持部材１０が取付ボルト８を軸として回動したとき、係合ピン１４が円弧孔１３内を円滑に移動可能となり、円弧孔１３に大きさが幅木挟持部材１０の鋼管クランプ１に対する回動範囲を制限するようになっている。
【００２８】
すなわち、幅木挟持部材１０を鋼管クランプ１に取り付ける場合、図５に示すように、幅木挟持部材１０の固定板部１２を、鋼管クランプ１のクランプ本体２の外側面に当てるようにし、固定板部１２の孔１２ａをクランプ本体２側の取付ボルト８に嵌め込み、さらに固定板部１２の円弧孔１３を係合ピン１４に嵌め込む。
【００２９】
このとき、取付ボルト８の締付ナット９を緩めた状態で、幅木挟持部材１０を鋼管クランプ１に回動させると、幅木挟持部材１０は取付ボルト８を軸に、円弧孔１３と係合ピン１４が係合する角度範囲（例えば約２０°）内で回動可能であり、任意の角度とした状態で、取付ボルト８の締付ナット９を締め付けると、幅木挟持部材１０は鋼管クランプ１に対しその角度で固定される。
【００３０】
このように構成された幅木用クランプは、建築工事現場、土木工事現場などで使用される仮設足場において、幅木Ｈを仮設足場上の布板Ｎに沿って取り付けるために使用される。
【００３１】
幅木Ｈを仮設足場上の布板Ｎに沿って取り付ける場合、先ず、幅木Ｈとして使用する木製足場板、鋼製板などを用意し、その幅木Ｈの両側に幅木用クランプを取り付ける。つまり、幅木用クランプの幅木挟持部材１０における二股挟持部１１の間に、幅木Ｈを挿入して挟持させ、その二股挟持部１１の固定孔１１ａに釘を打ち付け、或いは針金を固定孔１１ａに通して幅木Ｈを針金で巻き付けて固定する。そして、このように幅木用クランプを両側に取り付けた幅木Ｈを、仮設足場の布板に沿って配置し固定する。
【００３２】
幅木用クランプを仮設足場に固定する場合、図６，７に示すように、仮設足場用の垂直の鋼管Ｋに、幅木用クランプの鋼管クランプ１を固定して行なう。両側の幅木用クランプの鋼管クランプ１は、鋼管Ｋの任意の位置に固定することができ、図６，７のように、仮設足場に水平に取り付けられた布板Ｎの上方に、配置され固定する。
【００３３】
このとき、各幅木用クランプの鋼管クランプ１は、鋼管Ｋをクランプ本体２とクランプ蓋３との間に挟持するように挿入し、その状態で締付ボルト４の先端部付近をクランプ蓋３の二股開口部３ａに入れて、締付ナット５を締め付けることにより、鋼管Ｋはクランプ本体２とクランプ蓋３間で締め付けられ、鋼管Ｋに対し固定される。
【００３４】
取付ボルト８の締付ナット９を緩めた状態とすれば、幅木挟持部材１０つまり幅木Ｈは鋼管クランプ１に対し取付ボルト８を軸に回動可能であるから、図６に示す状態から図７に示す状態まで、幅木Ｈが角度を変えるように回動し、幅木Ｈの下端部は、その下側の布板Ｎ上に当接し、その状態で、幅木挟持部材１０を鋼管クランプ１に対し固定される。これにより、幅木Ｈは、布板Ｎの側端部の長手方向に沿って取り付けられることとなる。
【００３５】
このように、幅木挟持部材１０の二股挟持部１１に挟持可能な木製足場板、鋼製板などであれば、幅木挟持部材１０に木製足場板、鋼製板などを幅木Ｈとして挟持させ、仮設足場上の布板Ｎに沿って布板Ｎの側端部に幅木Ｈを配置するように、仮設足場の鋼管Ｋに対し鋼管クランプを用いて、簡単に固定することができる。また、クランプ本体２に対する幅木挟持部材１０の角度を調整することにより、仮設足場上の布板Ｎに対する幅木Ｈの角度を変え、使用する幅木Ｈの幅が異なる場合でも、適用することができる。
【００３６】
なお、上記実施形態では、幅木挟持部材１０の固定板部１２に円弧孔１３を設け、鋼管クランプ１のクランプ本体２に係合ピン１４を設けたが、反対に、固定板部１２に係合ピンを設け、クランプ本体２に円弧孔を設けることもできる。
【符号の説明】
【００３７】
１      鋼管クランプ
２      クランプ本体
３      クランプ蓋
４      締付ボルト
５      締付ナット
６      枢支ピン
７      枢支ピン
８      取付ボルト
９      締付ナット
１０    幅木挟持部材
１１    二股挟持部
１１ａ  固定孔
１２    固定板部
１３    円弧孔
１４    係合ピン
【図１】
0003154680.tif 000003
【図２】
0003154680.tif 000004
【図３】
0003154680.tif 000005
【図４】
0003154680.tif 000006
【図５】
0003154680.tif 000007
【図６】
0003154680.tif 000008
【図７】
0003154680.tif 000009